(57)【要約】【課題】筐体の前面側にゴミ箱と上方へ回動するカバー部材を備えたプリンタで、切断屑や紙粉のプリンタ本体部側への侵入を防止でき、かつ、消耗品の交換やプリンタ本体部のメンテナンスを行うことができるようにすることである。【解決手段】上方へ回動するカバー部材５に、筐体２内のプリンタ本体部１０の領域とゴミ箱３０の配置領域とを仕切る仕切り壁６を設け、カバー部材５の前面カバー４にゴミ箱３０を取り出す切欠き部４ｂを設けることにより、切断屑や紙粉のプリンタ本体部１０側への侵入を防止でき、かつ、カバー部材５を上方へ回動させたときに、消耗品の交換やプリンタ本体部のメンテナンスを行うことができるようにした。【選択図】図１
2013067152.tif 000002
【特許請求の範囲】
【請求項１】
プリンタ本体部を収納した筐体内の前面側に、記録紙の切断屑を収容するゴミ箱を配置し、前記筐体の前面側を覆う前面カバーを有するカバー部材を上方へ回動させるプリンタにおいて、前記上方へ回動するカバー部材に、前記筐体内のプリンタ本体部の領域と前記ゴミ箱の配置領域とを仕切る仕切り壁を設け、前記前面カバーに前記ゴミ箱を取り出す切欠き部を設けたことを特徴とするプリンタ。
【請求項２】
前記筐体内に配置されたゴミ箱を固定して、前記カバー部材の上方への回動を規制する規制手段を設けた請求項１に記載のプリンタ。
【請求項３】
前記プリンタ本体部と前記ゴミ箱を、前記筐体の前面側へ引き出し可能とした移動ベースに搭載し、この移動ベースに前記カバー部材を取り付けた請求項１または２に記載のプリンタ。
【発明の詳細な説明】
【技術分野】
【０００１】
本発明は、記録紙の切断屑を収容するゴミ箱を備えたプリンタに関する。
【背景技術】
【０００２】
サーマルプリンタ、インクジェットプリンタ、レーザプリンタ等のプリンタには、記録紙の切断屑を収容するゴミ箱を備えたものがある（例えば、特許文献１−３参照）。これらのプリンタでは記録紙にロール紙を用い、印刷された記録紙をカッタで切断し、その切断屑をカッタの下方で筐体内の前面側に配置したゴミ箱に収容するようにしている。ゴミ箱に収容された切断屑は、ゴミ箱を筐体から取り出して捨てられる。
【０００３】
一方、プリンタには、プリンタ本体部を収納する筐体の前面を覆う前面カバーを有するカバー部材を上方へ回動させ、インクリボンや記録紙等の消耗品の交換やプリンタ本体部のメンテナンスを行うようにしたものがある（例えば、特許文献４参照）。また、プリンタ本体部を搭載した移動ベースを筐体の前面側へ引き出し可能として、消耗品の交換やプリンタ本体部のメンテナンスを行うようにしたものもある（例えば、特許文献５参照）。
【０００４】
なお、前記前面カバーを有する回動式のカバー部材には、上方へ回動させるものと、下方へ回動させるものとがある。下方へ回動させるカバー部材は、開けた前面カバーが筐体の手前側へ移動するので、プリンタの設置スペースを広く必要とし、手前側へ移動した前面カバーに手をついたり、物を置いたりすると、プリンタが手前側へ転倒する恐れがある。これに対して、上方へ回動させるカバー部材は、開けた前面カバーが筐体の上側へ移動するので、余分な設置スペースを必要とせず、プリンタが手前側へ転倒する恐れもない。
【先行技術文献】
【特許文献】
【０００５】
【特許文献１】特開２００３−２６０８３４号公報
【特許文献２】特開２００９−６６９６１号公報
【特許文献３】特開２０１０−１８８６１８号公報
【特許文献４】特開２００６−２１６３５１号公報
【特許文献５】特開２００８−１３７２２５号公報
【発明の概要】
【発明が解決しようとする課題】
【０００６】
特許文献１−３に記載されたように、記録紙の切断屑を収容するゴミ箱を筐体内の前面側に配置したプリンタでは、カッタで発生する切断屑や紙粉がプリンタ本体部側へ侵入する恐れがあり、印刷汚れや故障等の原因となる。特許文献１に記載されたものでは、プリンタ本体部の領域とゴミ箱の配置領域を仕切る仕切り壁を筐体に設けている。
【０００７】
このような仕切り壁を設ければ、切断屑や紙粉のプリンタ本体部側への侵入は防止できるが、プリンタ本体部が筐体の仕切り壁によって前面側を閉塞されるので、上述した上方へ回動するカバー部材を備えたプリンタでは、前面カバーを開けても消耗品の交換やプリンタ本体部のメンテナンスを行うことができない問題がある。
【０００８】
そこで、本発明の課題は、筐体の前面側にゴミ箱と上方へ回動するカバー部材を備えたプリンタで、切断屑や紙粉のプリンタ本体部側への侵入を防止でき、かつ、消耗品の交換やプリンタ本体部のメンテナンスを行うことができるようにすることである。
【課題を解決するための手段】
【０００９】
上記の課題を解決するために、本発明は、プリンタ本体部を収納した筐体内の前面側に、記録紙の切断屑を収容するゴミ箱を配置し、前記筐体の前面側を覆う前面カバーを有するカバー部材を上方へ回動させるプリンタにおいて、前記上方へ回動するカバー部材に、前記筐体内のプリンタ本体部の領域と前記ゴミ箱の配置領域とを仕切る仕切り壁を設け、前記前面カバーに前記ゴミ箱を取り出す切欠き部を設けた構成を採用した。
【００１０】
すなわち、上方へ回動するカバー部材に、筐体内のプリンタ本体部の領域とゴミ箱の配置領域とを仕切る仕切り壁を設け、前面カバーにゴミ箱を取り出す切欠き部を設けることにより、切断屑や紙粉のプリンタ本体部側への侵入を防止でき、かつ、カバー部材を上方へ回動させたときに、消耗品の交換やプリンタ本体部のメンテナンスを行うことができるようにした。
【００１１】
前記筐体内に配置されたゴミ箱を固定して、前記カバー部材の上方への回動を規制する規制手段を設けることにより、ゴミ箱が配置された状態ではカバー部材を上方へ回動できないようにし、カバー部材の回動によるゴミ箱の転倒を防止することができる。
【００１２】
前記プリンタ本体部と前記ゴミ箱を、前記筐体の前面側へ引き出し可能とした移動ベースに搭載し、この移動ベースに前記カバー部材を取り付けることにより、プリンタを上下に複数段に積み重ねて設置したときに、下段側のプリンタのカバー部材を上方へ回動させることができる。
【発明の効果】
【００１３】
本発明に係るプリンタは、上方へ回動するカバー部材に、筐体内のプリンタ本体部の領域とゴミ箱の配置領域とを仕切る仕切り壁を設け、前面カバーにゴミ箱を取り出す切欠き部を設けたので、切断屑や紙粉のプリンタ本体部側への侵入を防止でき、かつ、カバー部材を上方へ回動させたときに、消耗品の交換やプリンタ本体部のメンテナンスを行うことができる。
【図面の簡単な説明】
【００１４】
【図１】プリンタの実施形態を示す縦断面図
【図２】（ａ）は図１のゴミ箱の配置部を示す縦断面図、（ｂ）は（ａ）のIIb−IIb線に沿った矢視図
【図３】図１の移動ベースを引き出して、カバー部材を上方へ回動させた状態を示す一部省略側面図
【図４】図１のプリンタを上下２段に積み重ねて設置した状態を示す側面図
【発明を実施するための形態】
【００１５】
以下、図面に基づき、本発明の実施形態を説明する。図１に示すように、このプリンタ１は、プリンタ本体部１０を収納した直方体形状の筐体２の前面側にゴミ箱３０を配置したサーマルプリンタである。プリンタ本体部１０とゴミ箱３０は、筐体２の前後方向に移動する移動ベース３に搭載されている。移動ベース３には、筐体２の前面側を覆う前面カバー４を有するカバー部材５が上方へ回動可能に取付けられており、このカバー部材５に、プリンタ本体部１０の領域とゴミ箱３０の配置領域とを仕切る仕切り壁６が設けられている。
【００１６】
前記筐体２の左右両側の内面にはガイドレール２ａが取付けられ、移動ベース３の左右両側に取り付けられた複数のキャスタ３ａが左右の各ガイドレール２ａに案内されて、移動ベース３が筐体２の手前側へ引き出されるようになっている。図示は省略するが、各ガイドレール２ａは内向きのコ字断面とされ、各キャスタ３ａはこのコ字断面に案内されて転動する。また、移動ベース３の左右両側には直角三角形状のサイドフレーム３ｂが設けられ、このサイドフレーム３ｂの上端部にカバー部材５が回動可能に枢着されている。
【００１７】
前記プリンタ本体部１０は、ロール紙の記録紙１１を装着するリール１２と、ロール紙１１の外周を押さえる押さえローラ１３と、リール１２から繰り出されるロール紙１１を案内する一対のガイドローラ１４と、ロール紙１１を印刷部に送り込むフィードローラ１５と、フィードローラ１５にロール紙１１を押し付けるピンチローラ１６と、一対のボビン１７ａに巻回されたインクリボン１７と、ロール紙１１に印刷を施すサーマルヘッド１８と、サーマルヘッド１８と対向するプラテンローラ１９と、印刷されたロール紙１１を所定の長さに切断するカッタ２０とで基本的に構成されている。
【００１８】
前記カバー部材５に設けられた仕切り壁６には、印刷された記録紙１１を通す開口６ａが設けられ、この開口６ａの下側縁に、カッタ２０で発生する切断屑や紙粉をゴミ箱３０内に落下させるように案内する傾斜ガイド板６ｂが設けられている。また、前面カバー４には、カッタ２０でカットされた記録紙１１を排出する排紙口４ａが設けられている。
【００１９】
図２（ａ）、（ｂ）に示すように、前記ゴミ箱３０の底には凹部３１が設けられ、この凹部３１に移動ベース３の前端部に設けられた凸部３２が嵌め込まれて、ゴミ箱３０が固定されている。また、前面カバー４には、ゴミ箱３０を前方へ取り出すための切欠き部４ｂが設けられている。したがって、ゴミ箱３０が凸部３２に固定された状態では、カバー部材６を上方へ回動させようとすると、後方から回動しようとする仕切り壁６が固定されたゴミ箱３０に規制されて、前面カバー４を開けることができず、誤ったカバー部材５の回動によるゴミ箱３０の転倒を防止することができる。
【００２０】
図３は、前記移動ベース３を筐体２の手前側へ引き出して、ゴミ箱３０を前面カバー４の切欠き部４ｂから取り出し、カバー部材５を上方へ回動させた状態を示す。この状態で、記録紙１１やインクリボン１７（図示省略）等の消耗品の交換やプリンタ本体部１０のメンテナンスが行われる。なお、ゴミ箱３０は、移動ベース３を引き出す前に取り出してもよい。
【００２１】
図４は、上述したプリンタ１をデスクＤの上に上下２段に積み重ねて設置した状態を示す。２台のプリンタ１は筐体２の前後位置を合致させて積み重ねられている。図中に一転鎖線で示すように、移動ベース３は筐体２の手前側へ引き出すことができるので、下段側のプリンタ１もカバー部材５を上方へ回動させて、消耗品の交換やプリンタ本体部１０のメンテナンスを行うことができる。
【００２２】
上述した実施形態では、プリンタ本体部とゴミ箱を筐体から引き出し可能な移動ベースに搭載し、上方へ回動するカバー部材を移動ベースに取り付けたが、本発明に係るプリンタは、このような移動ベースを設けず、カバー部材を筐体に取り付けるようにしてもよい。
【００２３】
上述した実施形態では、プリンタをサーマルプリンタとしたが、本発明に係るプリンタは引き出し式のものであればよく、インクジェットプリンタやレーザプリンタ等の他のプリンタにも適用することができる。
【符号の説明】
【００２４】
１  プリンタ
２  筐体
２ａ  ガイドレール
３  移動ベース
３ａ  キャスタ
３ｂ  サイドフレーム
４  前面カバー
４ａ  排紙口
４ｂ  切欠き部
５  カバー部材
６  仕切り壁
６ａ  開口
６ｂ  傾斜ガイド板
１０  プリンタ本体部
１１  記録紙
１２  リール
１３  押さえローラ
１４  ガイドローラ
１５  フィードローラ
１６  ピンチローラ
１７  インクリボン
１７ａ  ボビン
１８  サーマルヘッド
１９  プラテンローラ
２０  カッタ
３０  ゴミ箱
３１  凹部
３２  凸部
【図１】
2013067152.tif 000003
【図２】
2013067152.tif 000004
【図３】
2013067152.tif 000005
【図４】
2013067152.tif 000006